(57)【特許請求の範囲】
【請求項１】
洗い場パン、エプロン及びこれらの間に選択的に介在される浴槽パンの各浴室部材を、締結部材を介して締結する浴室部材の締結構造であって、
前記締結部材の下端側に形成され前記洗い場パンに係止される第１締結部と、
前記締結部材の上端側に形成され前記エプロンに係止される第２締結部と、
前記浴槽パンに形成され前記締結部材が挿通される挿通孔を有する装着片と、
前記締結部材において一体あるいは別体に設けられ、前記浴槽パンが介在される場合に前記装着片の上面を押さえる押さえ部と、
前記押さえ部の下面側に配されて前記挿通孔に挿通可能に形成されるとともに、前記洗い場パン側において前記浴槽パンが載置される受け面から前記装着片の略厚み分上方に前記押さえ部を位置させるスペーサ部と、
を備えることを特徴とする浴室部材の締結構造。
【請求項２】
前記各浴室部材が前記締結部材によって締結される部位は、上下方向に積み重ねられる一方、
前記締結部材は、前記第１締結部及び前記第２締結部がねじによって形成されたボルトであり、前記押さえ部と前記スペーサ部は前記締結部材に一体に形成されていることを特徴とする請求項１に記載の浴室部材の締結構造。
【請求項３】
前記締結部材の下端部には軸部より小径の小径部が形成されていることを特徴とする請求項２に記載の浴室部材の締結構造。
【発明の詳細な説明】
【技術分野】
【０００１】
本発明は、浴室部材の締結構造に関するものである。
【背景技術】
【０００２】
従来より、浴室内に設置される洗い場パンや浴槽パンといった防水用の浴室部材を接続する構造として、下記特許文献１が知られている。ここには、洗い場パンと浴槽パンとの接続を、締結ボルトを洗い場パンに取り付けられたナットにてねじ込むことによって行う構成が開示されている。
【先行技術文献】
【特許文献】
【０００３】
【特許文献１】特開２００５−６８７８６号公報
【発明の概要】
【発明が解決しようとする課題】
【０００４】
ところで、浴槽には浴槽用エプロンパネル（単にエプロンという）が取付けられることが多く、逆に、浴槽パンを持たず洗い場パンに対してエプロンのみが締結される仕様もある。このような仕様のものと、浴槽パンを有し洗い場パンおよびエプロンの３つの浴室部材を一括して締結する仕様とがあり、適宜に選択して採用される。
【０００５】
しかし、通常、浴槽パンは高さ方向に関して洗い場パンとエプロンとの間に介在されるため、浴槽パンが介在する仕様と介在しない仕様とで洗い場パンに対するエプロンの締結高さ位置が変化することになる。このため、各仕様に応じて浴室部材の形状を変えるなど、共通した締結構造とすることができない、という問題があった。
【０００６】
本発明は上記のような事情に基づいて完成されたものであって、浴槽パンの有無に拘らず共通の締結構造とすることを目的とする。
【課題を解決するための手段】
【０００７】
本発明の浴室部材の締結構造は、洗い場パン、エプロン及びこれらの間に選択的に介在される浴槽パンの各浴室部材を、締結部材を介して締結する浴室部材の締結構造であって、
前記締結部材の下端側に形成され前記洗い場パンに係止される第１締結部と、
前記締結部材の上端側に形成され前記エプロンに対して係止される第２締結部と、
前記浴槽パンに形成され前記締結部材が挿通される挿通孔を有する装着片と、
前記締結部材において一体あるいは別体に設けられ、前記浴槽パンが介在される場合に前記装着片の上面を押さえる押さえ部と、
前記押さえ部の下面側に配されて前記挿通孔に挿通可能に形成されるとともに、
前記洗い場パン側において前記浴槽パンが載置される受け面から前記装着片の厚み分上方に前記押さえ部を位置させるスペーサ部と、
を備えることを特徴とする。
【０００８】
本発明によれば、スペーサ部を設けたことで上下方向に浴槽パンを介在させるスペースを確保するようにしている。したがって、浴槽パンの有無に拘らず、締結部材に対する洗い場パン及びエプロンとの位置関係を一定にしたままこれらの締結を行うことができる。したがって、浴槽パンの有無によって浴室部材の構造に変更を要することなく共通構造にて各浴室部材の締結を行うことができる。
【図面の簡単な説明】
【０００９】
【図１】実施例１における洗い場パン、浴槽パン、エプロンの各浴室部材を示す斜視図
【図２】浴槽パンを持たない仕様において、洗い場パンとエプロンとが締結されている状態を示す断面図
【図３】浴槽パンを有する仕様において、洗い場パン、浴槽パン及びエロンが締結されている状態を示す断面図
【図４】クリップの斜視図
【図５】ナットを装着した状態のクリップと、締結ボルトを示す斜視図
【発明を実施するための形態】
【００１０】
本発明における好ましい実施の形態を説明する。
【００１１】
本発明において、前記各浴室部材が前記締結部材によって締結される部位は、上下方向に積み重ねられる一方、前記締結部材を、前記第１締結部及び前記第２締結部がねじによって形成されたボルトとし、前記押さえ部と前記スペーサ部とを前記締結部材に一体に形成するようにしてもよい。
このような構成によれば、各浴室部材をねじ構造によって確実に締結させることができるとともに、押さえ部とスペーサ部とが一体に形成されているため、部品点数の削減にも寄与する。
【００１２】
また、締結部材の下端部に軸部より小径の小径部が形成される構成としてもよい。
【００１３】
このような構成によれば、小径部が目印となって締結部材を上下逆向きに挿通してしまう事態を未然に回避することができる。
【００１４】
＜実施例１＞
実施例１に係る浴室は、浴槽１、浴槽パン２、洗い場パン３及びエプロン４といった各種の浴室部材を備えている。図１はこれらの分解図である。但し、浴槽パン２については、これを用いることなく他の浴室部材と締結される仕様（図２に示す仕様）と浴槽パン２を用いてこれら３つの浴室部材の全てを締結する仕様（図３に示す仕様）とがある。
【００１５】
まず、浴槽パン２が用いられない仕様について説明する（図１，２参照）。
洗い場パン３は、図示しない躯体床面から離した状態で水平に取り付けられている。図２に示すように、洗い場パン３の周縁には上向きに周壁５が起立して形成されている。周壁５のうち浴槽１と対向する部分の上端縁には全長に亘って外向きかつ水平に張り出し壁６が延出している。張り出し壁６の延出端縁には全長に亘ってほぼ下向きに垂下壁７が連続して形成されており、垂下壁７と周壁５との間には隙間が保有されている。垂下壁７の下端縁には保持壁８が全長に亘って外向き（浴槽１に接近する方向）かつ水平に張り出し形成されている。保持壁８の下面全体は面一に形成されているが、上面側は付け根側よりも厚肉となって付け根側との間で段差を持つ保持部９が形成されている。
【００１６】
保持部９において浴槽１と対向する側面には、下方へ向けて徐々に内向きに傾斜するテーパ面１０が形成されている。保持部９には複数の貫通孔１１が縦向きに形成されている。各貫通孔１１は保持部９の長手方向に沿って一定ピッチで配されている。保持部９には、図２、図５に示すように、各貫通孔１１に対応してナット付きクリップＮＣが複数個、装着されている。
【００１７】
クリップ１２は、例えば合成樹脂製であり、図４に示すように、基板１３と、基板１３の一側縁から上記したテーパ面１０の勾配に適合する勾配をもって斜めに立ち上がる側板１４と、側板１４の上端縁から基板１３の上方に対向するように延出する天板１５とを備えて構成されている。
【００１８】
天板１５の中央部には締結ボルト１６の第１締結部１７が挿通される通し孔１９が貫通して形成されている。また、天板１５の先端縁には全長に亘って上部挟持片２０が断面略Ｖ字状をなして形成されている。
【００１９】
一方、基板１３における先端縁側の長さ方向中央部には、先端縁から奥方、つまり側板１４に向けてＵ字状に延出しつつ貫通する溝部２１が切欠き形成されている。前記した通し孔１９の中心軸は溝部２１の幅方向に関する中心線を通過するように設定されている。
【００２０】
基板１３の上面（内面）において溝部２１を長手方向に挟んだ両側にはフランジ付きナット２２を奥方へ誘導して支持するためのナット支持面２３が形成されている。
【００２１】
また、基板１３の上面には溝部２１およびナット支持面２３の奥部を三方（奥方と幅方向両側方）から包囲するようにして当て止め部２４が形成されている。当て止め部２４は基板１３の内面（上面）において垂直断面が逆Ｌ字状をなして形成されている。そして、その内側にフランジ付きナット２２のフランジ部２２Ａの一部を圧入気味にして収容可能である。フランジ部２２Ａは当て止め部２４内の底面及び天井面との間で挟み付けられ、上方へ外れ止めされた状態となっている。
【００２２】
当て止め部２４のうち側板１４の内面に沿って配置される部分の幅方向の中央部には、Ｖ字状の切欠き部２５が形成されている。この切欠き部２５のＶ字形状はフランジ付きナット２２における六角形状をなすナット部２２Ｂのうち隣接する２つの外側面に適合するような角度をもって形成されている。このことにより、フランジ付きナット２２が当て止め部２４に収容された状態では、六角形状をなすナット部２２Ｂは当て止め部２４から上方へ突出するとともに、切欠き部２５の縁部及び当て止め部２４のうち幅方向に平行に対向する部分の両側縁と、ナット部２２Ｂにおける４つの連続する側面とが適合して面当たりするため、フランジ付きナット２２は回り止めされた状態で収容されることになる。
【００２３】
基板１３の先端縁には上記溝部２１を幅方向に挟んで一対の下部挟持片２６が設けられている。両下部挟持片２６は洗い場パン３側へ向けて突設されている。両下部挟持片２６は、上部挟持片２０とは逆向きのＶ字状をなして形成されている。
【００２４】
クリップ１２がほぼ自然状態にあるときの上部挟持片２０と下部挟持片２６との高さ方向の間隔は、保持部９の高さ寸法より狭く形成されている。ナット付きクリップＮＣが保持部９に装着されるときには、上下の挟持片２０，２６の高さ間隔を弾性的に押し広げつつ浴槽１側から押し嵌められる。そして、上部挟持片２０が保持部９を通過した時点で、上部挟持片２０が天板１５と共に弾性復帰して保持部９と保持壁８との間の段差に引っ掛かり、これによってナット付きクリップＮＣが保持部９に対して抜け止めされた状態で装着される。このときには、保持部９の貫通孔１１、クリップ１２の通し孔１９及びフランジ付きナット２２のねじ孔（めねじ）とが同軸で連通するようクリップ１２の取付け位置が調整される。
【００２５】
また、両下部挟持片２６の幅方向の外縁部にはそれぞれ立壁２６Ａが互いに向き合うようにして突出して形成されている。両下部挟持片２６の上面は、ナット付きクリップＮＣが保持部９に装着されるときに、保持部９の下面に摺接するようにして装着作業の円滑化が図られている。
【００２６】
締結ボルト１６は、図５に示すように、中心軸線に沿って延びる軸部２７を有しており、その一端（下端）に小径部２８が同軸で突出している。小径部２８はクリップ１２の通し孔１９に対する差し込みガイドの役割りを果たすと共に、締結ボルト１６の上下を作業者に知らしめる役割りがある。
【００２７】
軸部２７のほぼ中央部には、大径のスペーサ部２９が一体に形成されている。このスペーサ部２９は円盤状に形成され、後述する浴槽パン２の挿通孔３０（長孔）に対し嵌合可能な外径に形成されている。スペーサ部２９が挿通孔３０に嵌め合わされた状態で、スペーサ部２９は図２における左右方向および奥行方向（長孔の延びる方向）にクリアランスがある。また、スペーサ部２９の厚みは浴槽パン２の装着片３１の厚みとほぼ同じ寸法に設定されている。したがって、スペーサ部２９は、浴槽パン２を持たない仕様のときにおいて、洗い場パン３、より具体的にはクリップ１２の上面との間に浴槽パン２（装着３１片）の組み込みスペースを予め確保しておく役割りを担う。
【００２８】
軸部２７において、スペーサ部２９の上面側には鍔部３２（押さえ部）が連続して張り出し形成されている。鍔部３２はスペーサ部２９よりも大径に形成され、その下面には浴槽パン２の装着片３１の上面を押圧可能な押さえ面３２Ａが形成されている。また、鍔部３２の図示上面側には六角ナット部３３が連続して形成されている。この六角ナット部３３の最大外径はスペーサ部２９の外径とほぼ等しい設定となっている。
【００２９】
また、軸部２７においてスペーサ部２９、鍔部３２及び六角ナット部３３を挟んだ一端側（小径部２８側）にはおねじによって形成された第１締結部１７が形成されており、他端側には同様におねじによって形成された第２締結部１８が形成されている。第１締結部１７は小径部２８より上位側で所定長さ範囲に亘って形成され、第２締結部１８は反対側の端部から第１締結部１７とほぼ同じ長さ範囲に亘って形成されている。
【００３０】
エプロン４は浴槽１における洗い場に対向する側の側面に取り付けられる。図１に示すように、エプロン４には図示２つの作業用の窓孔３６が並列して開口している。図２に示すように、エプロン４の下端側には洗い場側に向けて補強用のリブ３７が突出形成されている。また、エプロン４の下端には浴槽１側へ向けて連結壁３８がほぼ水平に延出している。図２に示すように、連結壁３８の付け根部分は、エプロン４の締結時において洗い場パン３の張り出し壁６の上面に載置される仮置き部３８Ａとなっている。連結壁３８において、仮置き部３８Ａより先端側は一段下がって締結部３８Ｂが形成されている。締結部３８Ｂには締結ボルト１６の第２締結部１８を遊挿可能な円形の挿入孔３９が貫通している。挿入孔３９は各締結ボルト１６の配設位置に合わせて同ピッチで複数個所に配されている。各挿入孔３９の孔径は第２締結部１８の外径よりも十分に大径に形成され、エプロン４を締結する際の位置調整を可能にしている。
【００３１】
また、連結壁３８の下面であって仮置き部３８Ａと締結部３８Ｂとの境界部分には長手方向に沿って位置決め部３８Ｃが垂下して形成されている。この位置決め部３８Ｃは、エプロン４の締結に際して、洗い場パン３の垂下壁７と浴槽パン２における先端側の起立片３５（装着片３１）との間に差し込まれることで、洗い場パン３および浴槽パン２に対するエプロン４の図２等に示す左右方向に関する概略の位置決めを可能にする。
【００３２】
次に、浴槽パン２を持たない仕様における洗い場パン３とエプロン４との締結作業の一例を説明する。
【００３３】
まず、洗い場パン３を躯体床面から浮かした状態に据え付けするとともに、ナット付きクリップＮＣを洗い場パン３の保持部９に先付けしておく作業を行う。この作業はナット付きクリップＮＣを保持部９に対し浴槽１側から嵌め付けることによってなされる。このとき上下の挟持片２０，２６は拡開変形し、上部挟持片２０が保持部９を通過して弾性復帰することによって、保持部９にナット付きクリップＮＣが保持される。この際には、保持部９の貫通孔１１とクリップ１２の通し孔１９及びフランジ付きナット２２のねじ孔がそれぞれ同軸上に位置されるよう、クリップ１２の位置が調整される。
【００３４】
次に、締結ボルト１６のねじ込みに先立って浴槽１の仮置き作業が行われる。締結ボルト１６のねじ込み前にこの作業を行うのは、浴槽１の底面が締結ボルト１６との干渉によって傷つられてしまわないようにするためである。
【００３５】
締結ボルト１６は、小径部２８側（第１締結部１７側）を下端としてクリップ１２の通し孔１９、保持部９の貫通孔１１へと差し込まれる。そして、六角ナット部３３を回転操作してスペーサ部２９の下端がクリップ１２の天板１５に当接するまで第１締結部１７をフランジ付きナット２２へねじ込む。かくして、締結ボルト１６が洗い場パン３に保持される。
【００３６】
続いて、エプロン４の締結作業がなされる。この作業にあたり、まず締結ボルト１６の上端からワッシャ４０を嵌め入れ、締結ボルト１６の六角ナット部３３の上面に載せておく。その状態で、エプロン４の位置決め部３８Ｃを洗い場パン３の垂下壁７と浴槽パン２の装着片３１との間に差し込むことでエプロン４の概略の位置決めを行いつつ、第２締結部１８の上端から挿入孔３９を差し込み、仮置き部３８Ａを洗い場パン３の張り出し壁６の上面に載置するとともに、締結部３８Ｂをワッシャ４０の上面に載置する。
【００３７】
この後に、作業者は洗い場側からエプロン４の窓孔３６を介して手にしたワッシャ４２を第２締結部１８に嵌め入れる。そして、袋ナット４１のねじ込みを行えば洗い場パン３とエプロン４の締結作業が完了する。なお、エプロン４の上部側は浴槽１側へ取付けられる。
かくして、浴槽パン２を持たない仕様での洗い場パン３及びエプロン４の締結作業が完了する。
【００３８】
一方、図３に基づいて浴槽パン２を有する仕様での締結作業を説明すると、まずは洗い場パン３の保持部９に対し、前記した要領でナット付きクリップＮＣの保持がなされる。
【００３９】
そして、洗い場パン３が据え付けられている状態で、図示しない支持フレームに対して浴槽パン２の仮置きがなされる。浴槽パン２は、図１に示すように、底壁２Ａとこの底壁２Ａを三方から囲む３つの側壁２Ｂによって構成され、上方及び洗い場側に対向する側面はほぼ全面が開口している。
【００４０】
図３に示すように、浴槽パン２における開口側面の下縁には、ほぼ全長に亘って立ち上がり片３４が形成されている。立ち上がり片３４の上端部には洗い場側へ向けてほぼ水平に張り出す装着片３１が形成されている。装着片３１には長さ方向へ一定ピッチで複数の挿通孔３０が貫通している。但し、挿通孔３０は長手方向への長孔とされている。また、装着片３１における長手方向の両側縁には全長に亘って一対の起立片３５が対向して立ち上がり形成されている。
【００４１】
浴槽パン２が仮置きされた状態では、各挿通孔３０が対応するクリップ１２の通し孔１９に連通するように調整された状態で装着片３１がクリップ１２の天板１５の（受け面）に載置される。浴槽パン２が仮置きされた後に、浴槽パン２の上方に浴槽１がセットされる。
【００４２】
続いて、締結ボルト１６の小径部２８による誘い込みがなされつつ第１締結部１７が浴槽パン２の挿通孔３０、クリップ１２の通し孔１９および保持部９の貫通孔１１へと差し込まれる。そして、締結ボルト１６の六角ナット部３３を回転操作することによって第１締結部１７をフランジ付きナット２２に対してねじ込む。この際には、スペーサ部２９が浴槽パン２の挿通孔３０に嵌まり込んでクリップ１２の天板１５の上面に当接するとともに、鍔部３２の押さえ面３２Ａが浴槽パン２の装着片３１の上面を押さえ付ける。つまり、スペーサ部２９は浴槽パン２が載置される受け面である、クリップ１２の天板１５から装着片３１の略厚み分上方に、押さえ部である鍔部３２を位置させるのである。
こうして上記のねじ込み作業を全ての締結ボルト１６に対して繰り返すことで、浴槽パン２と洗い場パン３との締結が完了する。
【００４３】
なお、この後にエプロン４の締結作業がなされるが、同作業は浴槽パン２を持たない仕様のときの作業と同じ要領でなされる。
【００４４】
以上のように、実施例１では締結ボルト１６に設けられたスペーサ部２９が、浴槽パン２を持たない仕様の際においても、浴槽パン２（装着片３１）の組み付けスペースを確保するようにし、かつ浴槽パン２を持つ仕様の時には浴槽パンを押さえつける構造（鍔部３２）を有している。したがって、浴槽パン２を持つ仕様と持たない仕様のいずれの仕様においても、洗い場パン３、エプロン４の形状及び位置関係を変更することなく、共通の構造で両仕様に対応することができる。
【００４５】
また、実施例１ではスペーサ部２９及び浴槽パン２に対する押さえ部である鍔部３２が締結ボルト１６に一体に形成されているため、部品点数の削減に寄与するとともに、取扱い性にも優れる効果もある。
【００４６】
さらに、実施例１では洗い場パン３に対しフランジ付きナット２２を予め保持しておくようにしているため、洗い場パン３に対するねじ込み作業を上方から行うことができ、しかも片手作業も可能になる、という効果も得られている。
【００４７】
＜他の実施例＞
本発明は上記記述及び図面によって説明した実施例に限定されるものではなく、例えば次のような実施例も本発明の技術的範囲に含まれる。
（１）上記実施例では締結部材がボルトとナットによる場合を示したが、これに代えて樹脂製の締結部材であってもよい。そのような締結部材としては、例えば、長手方向の中央部に浴槽パン２に対する押さえ用のフランジが張り出し形成され、このフランジを境に下端側に洗い場パン３に対し抜け止め状態で弾性係止される第１締結部が形成され、上端側にエプロン４側が差し込まれて抜け止め状態で弾性係止される第２締結部が形成される形態のものが考えられる。
（２）上記実施例ではエプロンの締結のために袋ナット４１，５８を用いたが、通常のナットを用いてもよい。
（３）上記実施例１ではクリップを介してナットが保持されるようにしたが、保持部の下面にナットが溶接等によって固着される形態であってもよい。
（４）上記実施例１では、洗い場パンの保持部にクリップを介してナットを保持しておくようにしたが、クリップ及びナットを廃して保持部にねじ孔を形成するようにしてもよい。
【００４８】
（５）上記実施例１では、洗い場パン、浴槽パン及びエプロンの各締結部位の重ね合わせ方向を縦方向（上下方向）としたが、横方向（水平）に重ね合わせることも可能である。
【符号の説明】
【００４９】
２…浴槽パン
３…洗い場パン
４…エプロン
１５…天板（受け面）
１６，５２…締結ボルト
１７，５０…第１締結部
１８，５１…第２締結部
２９…スペーサ部
３２…鍔部
３２Ａ…押さえ面（押さえ部）
５３…第１ナット（ナット部が押さえ部となる）
５３Ａ…フランジ（受け面）
５４…第２ナット
５４Ａ…フランジ（押さえ部）
【図１】
0006534346.tif 000002
【図２】
0006534346.tif 000003
【図３】
0006534346.tif 000004
【図４】
0006534346.tif 000005
【図５】
0006534346.tif 000006